(57)【要約】【課題】この考案は、本体製品の差別化の目印として、取引者、需用者に斬新な印象を与え、創意工夫の内容を推測させる新規・独創の織りネームの提供にある。【解決手段】本体表示を本体生地に織製形成してなる本体生地の表面に、本体表示とは対向しない部分で、始端と終端とが本体生地に一体に接続し、かつその間を本体生地の表面と離隔して対面する独立の立体デザイン部および立体デザイン部の表面に文字、記号等の立体表示を織製してなる立体織りネーム。【選択図】　　　　図１
0003098340.tif 000002
【実用新案登録請求の範囲】
【請求項１】
本体表示を本体生地に織製形成してなる本体生地の表面に、本体表示とは対向しない部分で、始端と終端とが本体生地に一体に接続し、かつその間を本体生地の表面と離隔して対面する独立の立体デザイン部および立体デザイン部の表面に文字、記号等の立体表示を織製してなる立体織りネーム。
【請求項２】
本体生地用糸により本体生地を織製すると共に、文字等用糸により文字、記号等からなる本体表示を本体生地に織製形成し、その本体生地の表面に、本体表示とは対向しない部分で、始端と終端とが本体生地に一体に接続し、かつその間を本体生地の表面と離隔して対面する独立の立体デザイン部および立体デザイン部の表面に文字、記号等の立体表示を、その織りネームの本体生地を織製する本体生地用糸と文字等用糸は別個に供給される生地用糸と文字等用糸により織製してなる立体織りネーム。
【考案の詳細な説明】
【０００１】
【考案が属する技術分野】
この考案は、被服に装着され、商標を表示する立体織りネームに関するものである。
【０００２】
【従来の技術】
従来、折りネームは、主として生地は、細巾の帯状の織地に刺繍による文字・図形を所定間隔で一連に行い、後でその間隔ことに切断して使用するものである。織りネームは、商標を表示するものであるから、本体の被服製品のグレード、製品コンセプト等を端的に表示することができるものであり、デザインはもとよりその生地、刺繍糸に注意が充分に払われ、個性あふれるものが製作されている。
【０００３】
【考案が解決しようとする課題】
この考案は、本体製品の差別化の目印として、取引者、需用者に斬新な印象を与え、創意工夫の内容を推測させる新規・独創の織りネームの提供を目的になされたものである。
【０００４】
【課題を解決するための手段】
本体表示を本体生地に織製形成してなる本体生地の表面に、本体表示とは対向しない部分で、始端と終端とが本体生地に一体に接続し、かつその間を本体生地の表面と離隔して対面する独立の立体デザイン部および立体デザイン部の表面に文字、記号等の立体表示を織製してなる立体織りネームにある。
【０００５】
本体生地用糸により本体生地を織製すると共に、文字等用糸により文字、記号等からなる本体表示を本体生地に織製形成し、その本体生地の表面に本体表示とは対向しない部分で、始端と終端とが本体生地に一体に接続し、かつその間を本体生地の表面と離隔して対面する独立の立体デザイン部および立体デザイン部の表面に文字、記号等の立体表示を、その織りネームの本体生地を織製する本体生地用糸と文字等用糸は別個に供給される生地用糸と文字等用糸により織製してなる立体織りネームとしもよいものである。
【０００６】
【考案の実施の形態】
本体生地用糸により本体生地を織製すると共に、文字等用糸により文字、記号等からなる本体表示を本体生地に織製形成し、その本体生地の表面に、本体表示とは対向しない部分で、始端と終端とが本体生地に一体に接続し、かつその間を本体生地の表面と離隔して対面する独立の立体デザイン部およびその立体デザイン部の表面に文字、記号等の立体表示を、その本体生地を織製する本体生地用糸と文字等用糸は別個に供給される生地用糸と文字等用糸により織製してなる立体織りネーム。
【０００７】
【実施例】
以下、この考案の立体織りネームを実施例である図面により説明すると、図１〜図６は、第１実施例を示すもので、第１実施例の立体織りネーム１は、本体生地用糸２により本体生地１ａを織製すると共に、文字等用糸３により文字４ａ、記号４ｂ等からなる本体表示４を本体生地１ａに織製形成し、その本体生地１ａの表面に、本体表示４とは対向しない部分で、始端５ａと終端５ｂとが本体生地１ａに一体に接続し、かつその間を本体生地１ａの表面と離隔して対面する独立の立体デザイン部５および立体デザイン部５の表面に文字６ａ、記号６ｂ等の立体表示６を、第１実施例の立体織りネーム１の本体生地１ａを織製する本体生地用糸２と文字等用糸３は別個に供給される立体生地用糸７と立体文字等用糸８により織製してなるものである。
【０００８】
この考案の第１実施例の立体織りネーム１は、従来のメインとなる本体表示４を具えた一般織りネームの商標表示を構成し、当該商品の出所表示、品質保証、広告的機能を奏するものである。そして、その上に立体デザイン部５が構成されているから、従来の本体表示４と立体デザイン部５および立体表示６の重奏的表示が構成されるので、商標等の表示内容は２重、３重に強調されて観者にうったえるものである。
【０００９】
また、この考案の第１実施例の立体織りネーム１は、前述のように構成されるから、使用方法においては、図１〜図４に示すように、使用することができる。そして図５および図６に示すように、織りネームの裏側から立体デザイン部５を引出して表示し、個性あふれるディスプレイを表示すことができるものである。
【００１０】
図７は、この考案の第２実施例の立体織りネーム９を示すもので、立体デザイン部１１を本体表示１０の下方に設けたものを示すものである。
【００１１】
図８は、この考案の第３実施例の立体織りネーム１２を示すもので、立体デザイン部１４を本体表示１３の左右上下に離隔し、かつ多段に設けたものを示すものである。
【００１２】
図９は、この考案の第４実施例の立体織りネーム１５を示すもので、立体デザイン部１７を本体表示１６の右側に離隔し、その始端１７ａに対して終端１７ｂを近接して接続しその間を二つ折りに湾曲して本体生地から立ち上げて設けたものを示すものである。
【００１３】
この考案の第２〜４実施例の立体織りネーム９、１２および１５は、それぞれの立体デザイン部１１、立体デザイン部１４および立体デザイン部１７が特異に変形しているので、デザイン上において観者の目を引くものであるから、商標の機能を効果的に奏するものである。
【００１４】
【考案の効果】
この考案の立体織りネームは、従来の一般織りネームの商標表示を構成し、当該商品の出所表示、品質保証、広告的機能を奏し、その上に立体デザイン部が構成されているから、従来の本体表示と立体デザイン部および立体表示の重奏的表示が構成されるので、商標等の表示内容は２重、３重に強調されて観者にうったえることができるものである。
【００１５】
また、この考案の立体織りネームは、使用方法において、織りネームの裏側から立体デザイン部を引出して表示し、個性あふれるディスプレイを表示すことができるものである。
【００１６】
よって、個性を表示し、当該立体織りネームに接する者へ各種の動機付けを為すものである。
【図面の簡単な説明】
【図１】この考案の第１実施例の立体織りネームを正面右横に僅かに離れた上方位置から見た斜視図である。
【図２】この考案の第１実施例の立体織りネームを正面右横に大きく離れた上方位置から見た斜視図である。
【図３】同じく、その両端部を裏側に折り曲げて被服に縫い付ける状態を示す正面上方からの斜視図である。
【図４】同じく、図１のＡ−Ａ線に沿う説明断面図である。
【図５】同じく、その立体デザイン部を裏側上方へ折り曲げて現出させた使用状態を説明する正面図である。
【図６】同じく、その立体デザイン部を裏側上方へ折り曲げて現出させた使用状態を説明する背面図である。
【図７】この考案の第２実施例の立体織りネームを、その両端部を裏側に折り曲げて被服に縫い付ける状態における斜視図である。
【図８】この考案の第３実施例の立体織りネームを、同じく、その両端部を裏側に折り曲げて被服に縫い付ける状態における斜視図である。
【図９】この考案の第４実施例の立体織りネームを正面右横に大きく離れた上方位置から見た斜視図である。
【符号の説明】
１　第１実施例の立体織りネーム
１ａ　本体生地
２　本体生地用糸
３　文字等用糸
４　本体表示
４ａ　文字
４ｂ　記号
５　立体デザイン部
５ａ　始端
５ｂ　終端
６　立体表示
６ａ　文字
６ｂ　記号
７　立体生地用糸
８　立体文字等用糸
９　第２実施例の立体織りネーム
１０　本体表示
１１　立体デザイン部
１２　第３実施例の立体織りネーム
１３　本体表示
１４　立体デザイン部
１５　第４実施例の立体織りネーム
１６　本体表示
１７　立体デザイン部
１７ａ　始端
１７ｂ　終端
【図１】
0003098340.tif 000003
【図２】
0003098340.tif 000004
【図３】
0003098340.tif 000005
【図４】
0003098340.tif 000006
【図５】
0003098340.tif 000007
【図６】
0003098340.tif 000008
【図７】
0003098340.tif 000009
【図８】
0003098340.tif 000010
【図９】
0003098340.tif 000011